(57)【要約】エレクトロルミネセンスカラー表示パネルの各画素内のカラーセクションの位置配置が、少なくとも１つの隣接画素内のカラーセクションの位置配置と異なる。このことは、特に低解像度のディスプレイに動画像を表示する際に、視聴者に知覚される改善された画像品質を生み出す。本発明の好適例は、表示パネルを対角線状に横切るように配向した連続ライン上にカラーセクションを配置したエレクトロルミネセンス表示パネルである。
2004516630.tif 000002
【特許請求の範囲】
【請求項１】
格子パターンを形成すべく行及び列に配置した複数の画素を具えたエレクトロルミネセンスカラー表示パネルであって、前記各画素が少なくとも２つのカラーセクションを有し、前記カラーセクションのうちの第１カラーセクションが第１色の光を放出し、第２カラーセクションが前記第１色とは異なる第２色の光を放出するエレクトロルミネセンスカラー表示パネルにおいて、
前記画素のうちの第１画素内の前記第１及び第２カラーセクションの位置構成が、前記画素のうちの第２画素内の前記第１及び第２カラーセクションの位置構成と異なり、かつ前記第１画素が前記第２画素に隣接していることを特徴とするエレクトロルミネセンスカラー表示パネル。
【請求項２】
前記第１画素及び前記第２画素を同一列内に配置したことを特徴とする請求項１に記載のエレクトロルミネセンスカラー表示パネル。
【請求項３】
前記第１カラーセクションを、前記列方向に対して傾斜した、横方向に離間した複数の平行な傾斜ライン上に隣接して配置したことを特徴とする請求項１または２に記載のエレクトロルミネセンスカラー表示パネル。
【請求項４】
１つの前記傾斜ライン上に配置した第１カラーセクションが、連続したエレクトロルミネセンス材料のストリップを形成することを特徴とする請求項３に記載のエレクトロルミネセンスカラー表示パネル。
【請求項５】
垂直列と前記傾斜ラインとがなす鋭角が角度αから±１０°の範囲内にあり、角度αが次式：
【数１】
2004516630.tif 000006
ここにｎは画素内のカラーセクションの数、Ｐｒは画素の行方向の間隔、Ｐｃは画素の列方向の間隔、
に等しいことを特徴とする請求項３または４に記載のエレクトロルミネセンスカラー表示パネル。
【請求項６】
カラーセクションが有機エレクトロルミネセンス材料の層を具えていることを特徴とする請求項１、２、３、４または５に記載のエレクトロルミネセンスカラー表示パネル。
【請求項７】
前記有機エレクトロルミネセンス材料がポリマーであることを特徴とする請求項６に記載のエレクトロルミネセンスカラー表示パネル。
【請求項８】
カラーセクションが、プラズマ放電によって励起される蛍光材料の層を具えていることを特徴とする請求項１、２、３、４または５に記載のエレクトロルミネセンスカラー表示パネル。
【請求項９】
横方向に離間した複数の平行な第１電極ストリップを基板上に形成するステップと、
各々が動作中に少なくとも第１色または第２色のうちの１色の光を放出する、横方向に離間した複数の平行なエレクトロルミネセンスのストリップを、異なる色のストリップどうしが並んで位置する反復パターンに配置するステップと、
横方向に離間した複数の平行な第２電極ストリップを形成して、動作中に個々の発光デバイスが１つの第１電極ストリップと第２電極ストリップとの交差点に割り当てられるように、前記第２電極ストリップを前記複数の第１電極ストリップに交差させるステップとを具えた、エレクトロルミネセンスカラー表示パネルを製造する方法において、この方法が、
前記エレクトロルミネセンスのストリップを、前記第１及び第２電極ストリップが形成する格子に対して傾斜した、横方向に離間した複数の平行な傾斜ライン上に配置するステップを具えていることを特徴とするエレクトロルミネセンスカラー表示パネルの製造方法。
【請求項１０】
前記第２電極ストリップを前記第１電極ストリップにほぼ垂直に交差させて、前記第１及び第２電極ストリップが形成する格子がほぼ四角形になるようにすることを特徴とする請求項９に記載の方法。
【請求項１１】
前記第１または第２電極ストリップと傾斜ラインとがなす鋭角を角度αから±１０°の範囲内にして、角度αが次式：
【数２】
2004516630.tif 000007
ここにｎは画素内のカラーセクションの数、Ｐｒは画素の行方向の間隔、Ｐｃは画素の列方向の間隔、
に等しいことを特徴とする請求項９または１０に記載の方法。
【請求項１２】
前記エレクトロルミネセンスのストリップが、インクジェットプリンタを使用することによって堆積させた有機エレクトロルミネセンス材料を具えていることを特徴とする請求項９または１０に記載の方法。
【請求項１３】
請求項１に記載のエレクトロルミネセンスカラー表示パネルを具えた電子装置。
【発明の詳細な説明】
【０００１】
（技術分野）
本発明は、行及び列に配置されて格子（グリッド）パターンを形成する複数の画素を具えたエレクトロルミネセンスカラー表示パネルに関するものであり、各画素が少なくとも２つのカラーセクション（色区分）を具えて、これらのカラーセクションのうちの第１カラーセクションが第１色の光を放出し、第２カラーセクションが、第１色とは異なる第２色の光を放出する。
【０００２】
本発明は、エレクトロルミネセンスカラー表示パネルを製造する方法、及びエレクトロルミネセンスカラーディスプレイを具えた電子装置にも関するものである。
【０００３】
（従来技術）
複数の有機エレクトロルミネセンスデバイスを具えたエレクトロルミネセンス表示パネルが知られている。エレクトロルミネセンスデバイスは、エレクトロルミネセンスの現象を利用しつつ、デバイスを適切に電源に接続した際に光を放出するデバイスである。エレクトロルミネセンスとは、ガス中、液体中，及び固体材料中の電気放電によって光を放出するという共通の特徴を有するいくつかの現象を含む。エレクトロルミネセンスデバイスは一般に、カソード（陰極）とアノード（陽極）との間に堆積させたエレクトロルミネセンス材料製の層を１つ以上具えている。エレクトロルミネセンス表示パネルも既知であり、これは多数の発光デバイスを単一基板上に形成して、これらのデバイスの群を規則的な格子状に配置して、各群が画像素子を形成し、これは画素（ピクセル）とも称する。格子の列を形成するいくつかの発光デバイスは共通の第１電極、即ち共通アノードを共用することができ、この電極はアノード線とも称する。格子の行を形成するいくつかの発光デバイスは共通の第２電極、即ち共通カソードを共用することができ、この電極はカソード線とも称する。所定の群内の個々の発光デバイスは、これに関連するカソード線及びアノード線を同時に活性化すると発光する。この活性化は、行及び列によって行うか、あるいはアクティブマトリクスでは、個々のアノードパッドで行うことができる。
【０００４】
欧州特許出願ＥＰ ０ ７６７ ５９９は、エレクトロルミネセンス素子（以下画素とも称する）のマトリクスを具えた３カラーの有機エレクトロルミネセンス表示デバイスを開示している。マトリクス内の各画素は、赤色、緑色、及び青色用の１つ以上の発光デバイスを有して、各発光デバイスがマトリクス電極の列及び行に関連する。ＥＰ ０ ７６７ ５９９の図１に示すように、赤色用の発光デバイスを列、または垂直ライン状に配置している。同様の方法で、緑色及び青色用の発光デバイスを垂直ライン上に配置する。画素は、３本の垂直ラインの発光デバイスから構成される。この画素配置（レイアウト）はさらに「Ｖ−ライン」と称する。あるいはまた、赤色、緑色、及び青色のデルタ（三角形）配置を有する画素パターンを表示パネル内に形成することができ、そして屈曲あるいは曲折したカソードのパターンを表示パネル上に描くこともできる。
【０００５】
従来技術のエレクトロルミネセンスカラーディスプレイの欠点は、特に低解像度のディスプレイで動画を表示する際に低い画像品質をもたらすことである。
【０００６】
本発明の目的は、知覚的に改善された画像品質を有するエレクトロルミネセンスからー表示パネルを提供することにある。
【０００７】
（発明の開示）
この目的のために、本発明の第１の要点は、請求項１に記載のエレクトロルミネセンスカラー表示パネルを提供することにある。本発明の第２の要点は、請求項９に記載のエレクトロルミネセンスカラー表示パネルの製造方法を提供することにある。本発明の第３の要点は、請求項１３に規定した電子装置を提供することにある。従属請求項は好適例を規定したものである。
【０００８】
本発明の第１の要点によれば、第１画素内の前記第１及び第２カラーセクションの位置構成が、第２画素内の前記第１及び第２カラーセクションの位置構成と異なり、かつ前記第１画素が前記第２画素に隣接している。
【０００９】
２つの隣接画素内の、第１及び第２カラーセクションの異なる位置構成は、画像内の純然たる格子の相関パターンを崩し、このパターンは格子の形の画素配置から生じる。格子の相関パターンを崩すことは、知覚的な画像品質を改善する。第１画素の隣接画素は、第１画素に水平、垂直、あるいは対角線上で隣り合う画素で構成することができる。
【００１０】
カラーディスプレイでは、画素内のカラーセクション配置の選択が、知覚的な画像品質を大いに決定づける。従来技術のエレクトロルミネセンスカラー表示パネルでは、画素内のカラーセクションの配置が画素毎に同一である。さらに、この種のカラー表示パネルの特徴は、画素を通常、垂直列及び水平行から成る格子パターンに配置していることである。画素内のカラーセクションの配置が同一である、純粋に水平及び／または垂直に配向した画素構造は、特に低解像度のディスプレイでは明らかに低い画像品質を示す、というのは、人間の目は、画素配置に由来する相関のあるパターンに焦点を合わせる傾向があり、この画素配置は実際の画像のものではない。本発明によるエレクトロルミネセンスカラーディスプレイでは、画素は、垂直列及び水平行から成る格子パターンに配置したままである。しかし、２つの隣接画素が、画素内のカラーセクションの異なる配置を具えているので、純粋に水平及び／または垂直の相関パターンは崩れている。
【００１１】
本発明の好適例は、列内の２つの隣接画素が、画素内のカラーセクションの異なる配置を具えていることを特徴とする。垂直の相関パターンを崩すことは、図に示すように知覚される画像品質を改善する。
【００１２】
等価な好適例は自ずと、行内の２つの隣接画素から成り、これらの画素が、画素内のカラーセクションの異なる配置を具えている。水平の相関パターンを崩すことは、知覚される画像品質を改善する。
【００１３】
請求項３に規定する本発明の好適例は、前記カラーセクションの製造において、インクジェット印刷のような印刷技術を使用する際に特に有用である。横方向に離間した複数の平行ライン上に、第１カラーセクションを隣接して配置する際には、印刷ヘッド（１本以上のラインを同時に印刷する場合には複数のヘッド）をラインに沿って移動させることによって、こうしたカラーセクションのラインを印刷することができる。動作中に同一色の光を放出する他のカラーセクションも、横方向に離間した複数の平行ライン上に配置することが好ましい。種々のカラーセクションの横方向に離間したラインをほぼ平行にすることが好ましい。この好適例における発光材料のパターンはライン方向の相関パターンであるが、この相関パターンは主観的に、純然たる垂直及び水平のパターンよりもわずらわしくない。
【００１４】
第１カラーセクションを隣接して配置して、これら２つの印刷位置間には小さい距離が存在する。従って、これら２つの印刷位置間の印刷ヘッドの移動距離は小さい。印刷ヘッドが２つの印刷位置間を移動する時間が小さく、印刷プロセスに影響しないので、このことは生産プロセス（工程）における効率上の利点を生み出す。
【００１５】
前段落で記述した利点は、請求項４に記載の好適例によって有効に利用することができる。請求項４に規定する好適例では、傾斜ライン上に配置した第１カラーセクションが、連続したエレクトロルミネセンス材料のストリップを形成する。インクジェット印刷のような印刷技術を使用する際には、この好適例は、特定色のエレクトロルミネセンス材料を堆積させる連続ラインの印刷を可能にする。もちろん、適切な位置で堆積を中断することも可能であるが、このことは製造プロセスにおいて、印刷ヘッドを基板上の所望箇所に位置決めすることに関する問題をもたらす。さらに、印刷ヘッドを動作させた後に、小滴の形成における初期の不安定性が生じることがあり、堆積させる発光材料層の厚さに不確定性を生じさせる。これらの欠点の少なくとも一部は、本発明の請求項４に規定した好適例によって解消することができる。
【００１６】
例えば、第１色用の発光デバイスを列または垂直ライン上に配置する。このようにして、他の色用の発光デバイスを垂直ライン上に配置する。特定色の発光デバイスを有する種々のラインを交互に設ける。画素が、隣り合う垂直ラインからの各色の発光デバイスを具えて、これにより、画素内の種々のカラーセクションが行方向に隣接して位置する。こうした表示パネルの例がプラズマ表示パネル及び有機ＬＥＤ表示パネルである。
【００１７】
プラズマ表示パネルは、複数の平行チャンネルを設けた背面板（バックプレート）から構成される。これらのチャンネルの側壁及び底部を、赤色、緑色、及び青色の蛍光体でコーティングして、各チャンネルは通常、１色の蛍光体を具えている。チャンネルの底部には列（アドレス）電極が位置する。前面板（フロントプレート）には、横方向に離間した複数の平行な行電極を設ける。プラズマ表示パネルのセルは、これらの行電極と列電極との交点に位置する。前記前面板及び背面板を共に封印して、ガスを充填する。動作中には、このガス中の電気放電によって光を放出する。本発明によるプラズマ表示パネルでは、行及び列電極によって規定される四角形の格子に対して傾斜した、横方向に離間した複数の平行な傾斜ライン上にチャンネルを配置する。
【００１８】
パッシブマトリクスの有機ＬＥＤディスプレイは、横方向に離間した複数の平行な（透明）列電極を設けた透明基板で構成することができる。この有機ＬＥＤディスプレイはさらに、特定色（即ち赤色、緑色、または青色）の有機エレクトロルミネセンス材料の、横方向に離間した複数の平行な連続ラインで構成される。有機エレクトロルミネセンス材料のラインは通常、列電極に平行に配向する。行電極は有機エレクトロルミネセンス材料の最上部に、列電極に直交して配置する。動作中には、有機ＬＥＤディスプレイの行電極と列電極とを同時に活性化すると、このディスプレイの個々の発光デバイスが発光する。本発明による有機ＬＥＤ表示パネルでは、有機エレクトロルミネセンス材料のラインを、行及び列電極によって規定される四角形の格子に対して傾斜した、横方向に離間した複数の平行ライン上に配置する。
【００１９】
請求項５に規定する本発明の好適例では、垂直列と前記傾斜ラインとがなす鋭角が、好適な角度αから±１０°の範囲内にあり、この好適な角度αは次式に等しい。
【数３】
2004516630.tif 000003
ここにｎは画素内のカラーセクションの数であり、Ｐｒは画素の行方向の間隔（ピッチ）であり、Ｐｃは画素の列方向の間隔である。この好適例では、画素内のカラーセクションを行方向に並べて配置することが好ましい。この好適な角度を用いる際に、同一列中の画素内のカラーセクションを、隣り合う画素内のカラーセクションに対して行方向にずらす。このずらす度合いは、第１列中の、前記第１行から数えて（ｎ＋１）番目の行の画素内のカラーセクションの配置が、前記第１列中の第１行の画素内のカラーセクションの配置に等しくなるようにする。
【００２０】
この設計規則は、画素内のカラーセクションを列方向に並べて配置する際にも当てはまる。この場合には、垂直列と前記傾斜ラインとがなす鋭角が、好適な角度βから±１０°の範囲内にあり、この好適な角度βは次式に等しい。
【数４】
2004516630.tif 000004
この好適な角度を用いる際には、同一行中の画素内のカラーセクションを、隣り合う画素内のカラーセクションに対して列方向にずらす。このずらす度合いは、第１行中の、前記第１列から数えて（ｎ＋１）番目の列の画素内のカラーセクションの配置が、前記第１行中の第１列の画素内のカラーセクションの配置に等しくなるようにする。
【００２１】
本発明の第２の要点によれば、
横方向に離間した複数の平行な第１電極ストリップを基板上に形成するステップと、
各々が動作中に少なくとも第１色または第２色のうちの１色の光を放出する、横方向に離間した複数の平行なエレクトロルミネセンスのストリップを、異なる色のストリップどうしが並んで位置するような反復パターンに配置するステップと、
横方向に離間した複数の平行な第２電極ストリップを形成して、動作中に個々の発光デバイスが１つの第１電極ストリップと第２電極ストリップとの交差点に割り当てられるように、前記第２電極ストリップを前記複数の第１電極ストリップに交差させるステップとを具えた、エレクトロルミネセンスカラー表示パネルを製造する方法において、この方法が、
前記エレクトロルミネセンスのストリップを、前記第１及び第２電極ストリップが形成する格子に対して傾斜した、横方向に離間した複数の平行な傾斜ライン上に配置するステップを具えていることを特徴とする。発光材料の堆積は、前記傾斜ラインに沿って配向したレジストバンクのパターンによって案内（ガイド）する。この発光材料は、２つのレジストバンク間に堆積させる。この構成では、印刷を連続プロセスで行われるようにすることができ、堆積を同期させる必要がない。前記レジストバンクは、印刷した異なるカラーセクション用のエレクトロルミネセンス材料の混合を防止する。
【００２２】
前記エレクトロルミネセンスのストリップが有機エレクトロルミネセンス材料を具えている場合には、この有機エレクトロルミネセンス材料を、インクジェットプリンタを用いて堆積させることが好ましい。
【００２３】
本発明の第３の好適例によれば、電子装置が、請求項１に規定したエレクトロルミネセンスカラー表示パネルを具えている。低解像度のディスプレイにおける知覚的に改善された画像品質は、例えば移動電話、パーソナルオーガナイザ及びパーソナル計算機のような、ハンドヘルドまたは携帯電子装置において特に有利である。
【００２４】
本発明のこれら及び他の要点は、以下の図面を参照した実施例の説明より明らかになる。
【００２５】
（発明を実施するための最良の形態）
以下、本発明の実施例について図面を参照して説明する。
図１に、行２及び列３に配置した複数の発光セクションを具えたエレクトロルミネセンスカラー表示パネル１の一部の等価回路図を図式的に示す。行２電極と列３電極との各交点が発光セクション（部）を形成する。この表示パネルはさらに、行セクション回路２１（例えば多重回路）及びデータレジスタ２２を具えている。外部提供される情報、例えばビデオ信号を制御装置２３内で処理し、制御装置２３は、表示すべき情報に応じて、データレジスタ２２の個々の部分をロードする。行の選択と列電極への電圧供給との相互同期は、制御装置２３によって制御線２４経由で行う。
【００２６】
図２に、従来技術のエレクトロルミネセンス表示パネルの一部を図式的に示す。明瞭にするために、この図及びその後の図は一定寸法比で描いたものではなく、一部をより長い尺度で描いてある。エレクトロルミネセンス表示パネル１は、格子パターンまたはマトリクスを形成すべく行２及び列３に配置した複数の画素４を具えている。本実施例の各画素４は、３つのカラーセクション、即ち赤色Ｒ、緑色Ｇ、及び青色Ｂのカラーセクションを具えて、これらのカラーセクションは動作中に、それぞれ赤色、緑色、及び青色の光を放出することができる。この画素構成は、マトリクスアドレス式のエレクトロルミネセンス表示パネルに使用される。画像は、例えば、適切な信号を列に供給している間に、行毎に１行同時に走査される。
【００２７】
本発明によれば、各画素内のカラーセクションの位置構成が、少なくとも１つの隣接画素内のカラーセクションの位置構成と異なる。図３に、本発明によるエレクトロルミネセンス表示パネル１の実施例を示す。本実施例では、ＲＧＢカラーセクションを行２の方向に沿ってずらしている。列３と行２との交差点にある画素４では、カラーセクションは左から右に、緑色Ｇ、青色Ｂ、及び赤色Ｒのように配置している。列３と行５との交差点にある画素６では、カラーセクションは左から右に、赤色Ｒ、緑色Ｇ、及び青色Ｂのように配置している。従って、列３中の２つの隣接画素４、６は、画素内のカラーセクションの異なる位置構成を具えている。さらに、動作中に同色に発光する複数の画素のカラーセクションＲ、Ｇ、またはＢは、画素の格子パターンに対して傾斜した、横方向に離間した複数の平行な傾斜ライン７上に隣接して配置する。垂直列３と傾斜ライン７とがなす鋭角は次式のαに等しく、
【数５】
2004516630.tif 000005
ここにｎは画素内のカラーセクションの数（この例ではｎ＝３：Ｒ、Ｇ、及びＢ）であり、Ｐｒは画素４、６、の行２、５の方向の間隔（ピッチ）であり、Ｐｃは画素４、６、の列３の方向の間隔である。この間隔は、２つの隣接画素４、６間の中心距離である。
【００２８】
図２及び図３の画素構成に対応して、図４及び図５に、Ｖ−ライン画素配置を有するエレクトロルミネセンス表示パネル（図２）と、本発明による画素配置を有するエレクトロルミネセンス表示パネル（図３）とを比較するシミュレーションの結果を示す。図３の画素配置は（ライン７に沿った）ライン方向のＲＧＢの相関パターンを有したままであるが、図４の画像と比較すれば、図５の知覚的な画像品質が改善されている。
【００２９】
プラズマ表示パネル及び有機ＬＥＤ表示パネルのような一部のエレクトロルミネセンス表示パネルでは、インクジェット印刷のような印刷技術を用いてエレクトロルミネセンス材料を堆積させる。特定色のエレクトロルミネセンス材料を堆積させたライン８を連続的に印刷可能な場合には、インクジェット印刷を用いたカラーセクションＲ、Ｇ、またはＢにルミネセンス材料の堆積を、最も有効に適用することができる。もちろん、インクジェットの堆積を適切な位置で中断することも可能であるが、このことは、製造プロセスにおいて、インクジェットのオリフィス（吐出孔）を基板上の所望箇所に位置決めすることに関する問題をもたらす。さらに、印刷ヘッド内の圧電素子を動作させた後に、小滴の形成における初期の不安定性が生じ、堆積させた発光材料層の厚さに不確定性が生じる。従って、カラーセクションを列３に沿って印刷せずに、列３に対して対角線状に配向させることを提案する。図６に、本発明で提案する画素配置の例を図式的に示す。本実施例はライン８に沿って連続的に行い、位置に同期させて堆積させる必要がない。この画素配置では、三つ組のカラーセクションの配置が得られて、これは図３に示す画素配置とある程度似ているが、インクジェットプリンタの指向に関して上述した問題にうまく対処する。
【００３０】
エレクトロルミネセンス材料の堆積は、列に対して対角的に配向したレジストバンク９のパターンによって案内（ガイド）することができる。２つのレジストバンク９の間にエレクトロルミネセンス材料を堆積させて、レジストバンク９は、不所望かつ不確定な色混合を生じさせる材料の混合を防止する。
【００３１】
図６の実施例のカラーセクションをアドレス指定するためには、図７に示す行１０電極及び列１１電極を使用することが好ましい。図６の実施例のカラーセクションはダイヤモンド的な形状を有するので、列電極１１は図７に示すような段付きのパターンを有する。
【００３２】
本発明による低解像度ディスプレイ上の知覚的に改善された画像品質は特に、移動電話、パーソナルオーガナイザ及びパーソナル計算機のようなハンドヘルドまたは携帯電子装置において有利である。請求項１に規定したエレクトロルミネセンス表示パネル１を具えたこのような電子装置の例を図８〜図１０に示し、図８に本発明によるエレクトロルミネセンスカラー表示パネル１を具えた移動電話を示し、図９に本発明によるエレクトロルミネセンスカラー表示パネル１を具えた計算機を示し、図１０に本発明によるエレクトロルミネセンスカラー表示パネル１を具えたパーソナルオーガナイザを示す。
【００３３】
要約すれば、エレクトロルミネセンス表示パネルの各画素内のカラーセクションの位置構成が、少なくとも１つの隣接画素のカラーセクションの位置構成と異なっている。このことは、特に低解像度のディスプレイに動画を表示する際に、視聴者に知覚される改善された画像品質を生み出す。本発明の好適例は、表示パネルを対角線状に横切るように配向した連続ライン上にカラーセクションを配置したエレクトロルミネセンス表示パネルである。
【００３４】
なお、上述した実施例は例示的なものであり本発明を限定するものではなく、当業者は請求項の範囲を逸脱することなく、多数の代案実施例を設計することができる。例えば、本発明から逸脱することなく、列と行の機能を置き換えることができる。
【００３５】
本発明はアクティブマトリクス有機ＬＥＤディスプレイにも適用することができ、ここでは列電極及び行電極を用いてカラーセクションをアドレス指定する。
【００３６】
請求項において、「具えている」という動詞及びその活用形は、請求項に記載した以外の要素またはステップの存在を排除するものではない。
【図面の簡単な説明】
【図１】エレクトロルミネセンス表示パネルの等価回路図である。
【図２】従来技術に関連するエレクトロルミネセンス表示パネルの一部の図式的な図であり、画素が３本の垂直ラインの発光デバイスを含む（Ｖ−ライン画素配置）。
【図３】本発明によるエレクトロルミネセンス表示パネル一部の図式的な図であり、列内の隣接する２画素の、画素内のカラーセクションの位置構成が異なっている。
【図４】従来技術のエレクトロルミネセンス表示パネル上に表示される画像のシミュレーション結果を示す図である。
【図５】本発明によるエレクトロルミネセンス表示パネル上に表示される画像のシミュレーション結果を示す図である。
【図６】本発明によるエレクトロルミネセンス表示パネルの他の実施例の図式的な図であり、複数の画素のカラーセクションが連続的な色決定ストリップを形成し、動作中に同色で発光するカラーセクションが同一傾斜ライン上にある。
【図７】図６の実施例の図式的な図であり、列及び行の可能な配置を提示する。
【図８】請求項１に規定したエレクトロルミネセンスカラー表示パネルを具えた電子デバイスの例を示す図である。
【図９】請求項１に規定したエレクトロルミネセンスカラー表示パネルを具えた電子デバイスの例を示す図である。
【図１０】請求項１に規定したエレクトロルミネセンスカラー表示パネルを具えた電子デバイスの例を示す図である。
【国際公開パンフレット】
2004516630.tif 000008
2004516630.tif 000009
2004516630.tif 000010
2004516630.tif 000011
2004516630.tif 000012
2004516630.tif 000013
2004516630.tif 000014
2004516630.tif 000015
2004516630.tif 000016
2004516630.tif 000017
2004516630.tif 000018
2004516630.tif 000019
2004516630.tif 000020
2004516630.tif 000021
2004516630.tif 000022
2004516630.tif 000023
2004516630.tif 000024
2004516630.tif 000025
【国際調査報告】
2004516630.tif 000026
2004516630.tif 000027